(57)【要約】【課題】実際の自動車のハンドルを握ってその自動車を運転している感覚を味わえる玩具装置を提供する。【解決手段】自動車玩具と、この自動車玩具を遠隔操作するためのリモコン２とを具備する。リモコン２は、左右一対の把持部14を有するハンドル形状のリモコン本体11を備える。リモコン本体11内には、リモコン本体の右傾き状態および左傾き状態を検出するスイッチ式の傾き検出手段を設ける。傾き検出手段がリモコン本体11の右傾き状態を右スイッチで検出すると、自動車玩具の前輪が設定回動角度をもって右方向に回動する。傾き検出手段がリモコン本体11の左傾き状態を検出すると、自動車玩具の前輪が設定回動角度をもって左方向に回動する。【選択図】図１
2008023011.tif 000002
【特許請求の範囲】
【請求項１】
自動車玩具と、
この自動車玩具を遠隔操作するためのリモコンとを具備し、
前記リモコンは、
左右一対の把持部を有するハンドル形状のリモコン本体と、
このリモコン本体に設けられ、前記リモコン本体の右傾き状態および左傾き状態を検出する傾き検出手段とを備え、
前記傾き検出手段にて前記リモコン本体の右傾き状態が検出されると、前記自動車玩具の車輪が予め設定された設定回動角度をもって右方向に回動し、
前記傾き検出手段にて前記リモコン本体の左傾き状態が検出されると、前記自動車玩具の車輪が予め設定された設定回動角度をもって左方向に回動する
ことを特徴とする玩具装置。
【請求項２】
自動車玩具と、
この自動車玩具を遠隔操作するためのリモコンとを具備し、
前記リモコンは、
左右一対の把持部を有するハンドル形状のリモコン本体と、
このリモコン本体に設けられ、前記リモコン本体の右傾き角度および左傾き角度を検出する傾き検出手段とを備え、
前記リモコン本体が右方向に傾けられると、前記自動車玩具の車輪が前記傾き検出手段にて検出される右傾き角度に対応する回動角度をもって右方向に回動し、
前記リモコン本体が左方向に傾けられると、前記自動車玩具の車輪が前記傾き検出手段にて検出される左傾き角度に対応する回動角度をもって左方向に回動する
ことを特徴とする玩具装置。
【請求項３】
リモコン本体には左右一対の操作レバーが設けられ、
前記左右一対の操作レバーのいずれか一方が操作されると、自動車玩具が加速し、
前記左右一対の操作レバーのいずれか他方が操作されると、前記自動車玩具が減速する
ことを特徴とする請求項１または２記載の玩具装置。
【請求項４】
リモコン本体には、加速用操作ボタン、減速用操作ボタン、右曲がり用操作ボタンおよび左曲がり用操作ボタンが設けられ、
前記加速用操作ボタンが操作されると、自動車玩具が加速し、
前記減速用操作ボタンが操作されると、前記自動車玩具が減速し、
前記右曲がり用操作ボタンが操作されると、前記自動車玩具の車輪が右方向に回動し、
前記左曲がり用操作ボタンが操作されると、前記自動車玩具の車輪が左方向に回動する
ことを特徴とする請求項１ないし３のいずれか一記載の玩具装置。
【発明の詳細な説明】
【技術分野】
【０００１】
本発明は、実際の自動車のハンドルを握ってその自動車を運転している感覚を味わうことができ、興趣性が良好な玩具装置に関するものである。
【背景技術】
【０００２】
従来、例えば自動車玩具とこの自動車玩具を遠隔操作するための無線コントローラ等のリモコンとを具備し、そのリモコンには、自動車玩具に前進、後退、曲がる、加速、減速等の所望動作を行わせる際に操作する左右一対のレバー杆と、撮影画面を表示するためのディスプレイとが設けられた玩具装置が知られている（例えば、特許文献１参照）。
【特許文献１】特開２００４−２９８５３８号公報（図１６）
【発明の開示】
【発明が解決しようとする課題】
【０００３】
しかしながら、上記従来の玩具装置のように、リモコンのレバー杆の操作で自動車玩具が右方向に曲がったり左方向に曲がったりする構成では、実際の自動車のハンドルを握ってその自動車を運転している感覚を味わうことができない。
【０００４】
本発明は、このような点に鑑みなされたもので、実際の自動車のハンドルを握ってその自動車を運転している感覚を味わうことができ、興趣性が良好な玩具装置を提供することを目的とする。
【課題を解決するための手段】
【０００５】
請求項１記載の玩具装置は、自動車玩具と、この自動車玩具を遠隔操作するためのリモコンとを具備し、前記リモコンは、左右一対の把持部を有するハンドル形状のリモコン本体と、このリモコン本体に設けられ、前記リモコン本体の右傾き状態および左傾き状態を検出する傾き検出手段とを備え、前記傾き検出手段にて前記リモコン本体の右傾き状態が検出されると、前記自動車玩具の車輪が予め設定された設定回動角度をもって右方向に回動し、前記傾き検出手段にて前記リモコン本体の左傾き状態が検出されると、前記自動車玩具の車輪が予め設定された設定回動角度をもって左方向に回動するものである。
【０００６】
請求項２記載の玩具装置は、自動車玩具と、この自動車玩具を遠隔操作するためのリモコンとを具備し、前記リモコンは、左右一対の把持部を有するハンドル形状のリモコン本体と、このリモコン本体に設けられ、前記リモコン本体の右傾き角度および左傾き角度を検出する傾き検出手段とを備え、前記リモコン本体が右方向に傾けられると、前記自動車玩具の車輪が前記傾き検出手段にて検出される右傾き角度に対応する回動角度をもって右方向に回動し、前記リモコン本体が左方向に傾けられると、前記自動車玩具の車輪が前記傾き検出手段にて検出される左傾き角度に対応する回動角度をもって左方向に回動するものである。
【０００７】
請求項３記載の玩具装置は、請求項１または２記載の玩具装置において、リモコン本体には左右一対の操作レバーが設けられ、前記左右一対の操作レバーのいずれか一方が操作されると、自動車玩具が加速し、前記左右一対の操作レバーのいずれか他方が操作されると、前記自動車玩具が減速するものである。
【０００８】
請求項４記載の玩具装置は、請求項１ないし３のいずれか一記載の玩具装置において、リモコン本体には、加速用操作ボタン、減速用操作ボタン、右曲がり用操作ボタンおよび左曲がり用操作ボタンが設けられ、前記加速用操作ボタンが操作されると、自動車玩具が加速し、前記減速用操作ボタンが操作されると、前記自動車玩具が減速し、前記右曲がり用操作ボタンが操作されると、前記自動車玩具の車輪が右方向に回動し、前記左曲がり用操作ボタンが操作されると、前記自動車玩具の車輪が左方向に回動するものである。
【発明の効果】
【０００９】
本発明によれば、実際の自動車のハンドルを切るように両手で左右一対の把持部を把持してリモコン本体を傾けることによって、自動車玩具の車輪をその傾けた方向に回動させることができるため、実際の自動車のハンドルを握ってその自動車を運転している感覚を味わうことができ、興趣性が良好である。
【発明を実施するための最良の形態】
【００１０】
本発明の一実施の形態に係る玩具装置を図面を参照して説明する。
【００１１】
本実施の形態に係る玩具装置、すなわち例えばラジオコントロールカー玩具は、例えば手のひらに乗せることができる程度の大きさで自動車の形を模した模型本体である自動車玩具１（図５参照）と、この自動車玩具１を無線信号を利用して遠隔操作するための無線コントローラであるハンドル型のリモコン２（図１等参照）とを具備している。
【００１２】
自動車玩具１は、図５に示すように、ベース体４を備えている。ベース体４の前部には、走行面から受ける力で水平方向軸線を中心として従動回転する左右一対の前輪（車輪）５が設けられている。左右一対の前輪５はベース体４に対して上下方向軸線を中心として左右方向に回動可能となっており、ベース体４の前部には、左右一対の前輪５を同時に左右方向に回動させる駆動手段である電磁石（前輪操舵用電磁石）６が設けられている。電磁石６が両前輪５同士を連結する連結手段７を動かすことで両前輪５が同時に左右方向に回動する構成となっている。
【００１３】
また、ベース体４の後部には、駆動手段であるモータ（走行用モータ）８から出力される駆動力で左右水平方向軸線を中心として正方向または逆方向に駆動回転する左右一対の後輪９が設けられている。
【００１４】
なお、自動車玩具１は、リモコン２の送信部から送信される無線信号を受信する受信部、この受信部から送られてくる信号に基づいて電磁石６およびモータ８等を制御する制御部、電池を収納した電池収納部等を備えている。
【００１５】
リモコン２は、図１ないし図３に示すようなレーシングカー等の自動車のハンドルを模したハンドル形状のリモコン本体11と、このリモコン本体11内に設けられリモコン本体11の右傾き状態および左傾き状態を検出するスイッチ式の傾き検出手段（図４参照）12とを備えている。
【００１６】
リモコン本体11は、図１ないし図３に示されるように、傾き検出手段12等を内部に収容した本体部13と、この本体部13の左右両側に一体的に設けられ略円弧状をなす左右一対の把持部14とを有している。なお、本体部13の表面はＣＦＲＰ風になっており、把持部14の表面は表革風になっている。
【００１７】
本体部13の左右両側には、把持部14の後方に位置し使用者が把持部14を把持しながら指で操作する略板状の左右一対の操作レバー、すなわち例えばシフトアップレバー板16およびシフトダウンレバー板17が本体部13の側面から側方に向って突出するように設けられている。シフトアップレバー板16およびシフトダウンレバー板17は、リモコン本体11の本体部13に対して操作位置と待機位置との間で前後方向に移動可能となっている。
【００１８】
また、本体部13の前面側には、使用者が指で押動操作する略円形状の押圧式の複数、例えば５つの操作ボタン、すなわち例えばスタート用操作ボタン21、加速用操作ボタン22、減速用操作ボタン23、右曲がり用操作ボタン24および左曲がり用操作ボタン25が設けられている。
【００１９】
さらに、本体部13の前面側には、ＬＥＤ（発光ダイオード）等からなるレブ表示部26およびシフト表示部27が設けられている。また、本体部13の前面には放音孔28が形成され、本体部13内における放音孔28との対向位置にはシフトアップ時には加速音、シフトダウン時にはエンジンブレーキ音を出すスピーカ29が設けられている。さらに、本体部13に形成された電池収納室には電池が収納され、電池収納室は本体部13に対して脱着可能な蓋30にて開閉可能となっている。
【００２０】
また、リモコン本体11の本体部13内に設けられたスイッチ式の傾き検出手段12は、図４（ａ）〜（ｃ）に示すように、リモコン本体11が右方向に傾けられた際にこのリモコン本体11の右傾き状態、つまりこのリモコン本体11が予め設定された設定角度α以上の右傾き角度で右方向に傾いた状態を右スイッチ31で検出し、リモコン本体11が左方向に傾けられた際にこのリモコン本体11の左傾き状態、つまりこのリモコン本体11が予め設定された設定角度α以上の左傾き角度で左方向に傾いた状態を左スイッチ32で検出するものである。
【００２１】
傾き検出手段12は、リモコン本体11の本体部13が有する前後方向の支軸（回動支点）33に回動可能にぶら下げ状態として設けられた振り子である錘部材35と、リモコン本体11の右傾き状態時に錘部材35の凸部36と当接してオンする右スイッチ31と、リモコン本体11の左傾き状態時に錘部材35の凸部37と当接してオンする左スイッチ32とを有している。錘部材35は、支軸33に回動可能に取り付けられた略円形環状の取付部38を上部に有し、下部に略円形の錘部39を有している。また、傾き検出手段12は、錘部材35をこの錘部材35の左右両側方から両スイッチ31，32間の中心位置（基準位置）側に向けて付勢する付勢手段、すなわち例えば右ばね41および左ばね42を有している。
【００２２】
なお、リモコン本体11の本体部13内には、傾き検出手段12およびスピーカ29の他に、各レバー板16，17の操作の有無を検出するスイッチ、各操作ボタン21〜25の操作の有無を検出するスイッチ、自動車玩具１の受信部に向けて無線信号を送信する送信部、各スイッチからの信号に基づいて送信部、表示部26，27およびスピーカ29等を制御する制御部等が設けられている。
【００２３】
次に、上記ラジオコントロールカー玩具の動作等について説明する。
【００２４】
まず、操作ボタン22〜25の操作により自動車玩具１を動かして遊ぶ場合、遊戯者がリモコン２のスタート用操作ボタン21を押動操作すると、リモコン２のスピーカ29から擬似エンジン音が発生する。このとき、自動車玩具１は停止したままである。
【００２５】
次いで、例えば加速用操作ボタン22を押動操作すると、リモコン２のスピーカ29から擬似エンジン音（擬似ギア１段の加速状態のエンジン音）が発生するとともに、レブ表示部26の所定のＬＥＤが点灯しかつシフト表示部27には「１」と表示され、また同時に、左右一対の後輪９がモータ８からの駆動力によって正方向に回転することで、自動車玩具１が加速して第１速度で前進走行する。
【００２６】
そして、再び加速用操作ボタン22を押動操作すると、リモコン２のスピーカ29から擬似エンジン音（擬似ギア２段の加速状態のエンジン音）が発生するとともに、レブ表示部26の所定のＬＥＤが点灯しかつシフト表示部27には「２」と表示され、また同時に、自動車玩具１がさらに加速して、第１速度より速い第２速度で前進走行する。なお、自動車玩具１をさらに加速させたい場合、繰り返して加速用操作ボタン22を押動操作することで、例えばギア５段まで擬似的にシフトアップすることができる。
【００２７】
また、例えば自動車玩具１が第２速度をもって前進走行している状態で、遊戯者がリモコン２の減速用操作ボタン23を押動操作すると、スピーカ29から擬似エンジン音（擬似ギア１段のエンジンブレーキ状態のエンジン音）が発生するとともに、レブ表示部26の所定のＬＥＤが点灯しかつシフト表示部27には「１」と表示され、また同時に、自動車玩具１が減速して第１速度で前進走行する。すなわち、自動車玩具１を減速させたいときに、減速用操作ボタン23を押動操作することで、擬似的にシフトダウンすることができる。
【００２８】
そして、自動車玩具１の前進走行時において、遊戯者がリモコン２の右曲がり用操作ボタン24を押動操作すると、押動操作している間だけ、左右一対の前輪５が真直ぐ前方を向いた状態から電磁石６の作動により予め設定された設定回動角度をもって右方向に回動し、自動車玩具１が右に曲がる。右曲がり用操作ボタン24から指を離してその押動操作を解除すると、左右一対の前輪５が真直ぐ前方を向いた状態に復帰する。
【００２９】
また、自動車玩具１の前進走行時において、遊戯者がリモコン２の左曲がり用操作ボタン25を押動操作すると、押動操作している間だけ、左右一対の前輪５が真直ぐ前方を向いた状態から電磁石６の作動により予め設定された設定回動角度をもって左方向に回動し、自動車玩具１が左に曲がる。左曲がり用操作ボタン25から指を離してその押動操作を解除すると、左右一対の前輪５が真直ぐ前方を向いた状態に復帰する。
【００３０】
なお、自動車玩具１の停止状態時に、減速用操作ボタン23を押動操作すると、リモコン２のスピーカ29から擬似バック音が発生するとともに、左右一対の後輪９がモータ８からの駆動力によって逆方向に回転することで自動車玩具１がバック走行する。
【００３１】
次に、レバー板16，17の操作位置への押動操作とリモコン本体11の傾動操作とによって自動車玩具１を動かして遊ぶ場合、遊戯者がリモコン２のスタート用操作ボタン21を押動操作すると、リモコン２のスピーカ29から擬似エンジン音が発生する。このとき、自動車玩具１は停止したままである。
【００３２】
次いで、遊戯者が把持部14を把持してリモコン本体11を水平姿勢に持った状態で、例えばシフトアップレバー板16を右手の指で手前に押すように押動操作すると、リモコン２のスピーカ29から擬似エンジン音（擬似ギア１段の加速状態のエンジン音）が発生するとともに、レブ表示部26の所定のＬＥＤが点灯しかつシフト表示部27には「１」と表示され、また同時に、左右一対の後輪９がモータ８からの駆動力によって正方向に回転することで、自動車玩具１が加速して第１速度で前進走行する。
【００３３】
そして、再びシフトアップレバー板16を右手の指で手前に押すように押動操作すると、リモコン２のスピーカ29から擬似エンジン音（擬似ギア２段の加速状態のエンジン音）が発生するとともに、レブ表示部26の所定のＬＥＤが点灯しかつシフト表示部27には「２」と表示され、また同時に、自動車玩具１がさらに加速して、第１速度より速い第２速度で前進走行する。自動車玩具１をさらに加速させたい場合、繰り返してシフトアップレバー板16を押動操作することで、例えばギア５段まで擬似的にシフトアップできる。
【００３４】
また、例えば自動車玩具１が第２速度をもって前進走行している状態で、遊戯者がシフトダウンレバー板17を左手の指で手前に押すように押動操作すると、スピーカ29から擬似エンジン音（擬似ギア１段のエンジンブレーキ状態のエンジン音）が発生するとともに、レブ表示部26の所定のＬＥＤが点灯しかつシフト表示部27には「１」と表示され、また同時に、自動車玩具１が減速して第１速度で前進走行する。すなわち、自動車玩具１を減速させたいときに、シフトダウンレバー板17を押動操作することで、擬似的にシフトダウンできる。
【００３５】
そして、自動車玩具１の前進走行時において、遊戯者がリモコン本体11を右方向に傾け、このリモコン本体11が設定角度α以上の右傾き角度で右方向に傾いた右傾き状態になると、リモコン本体11内の傾き検出手段12がそのリモコン本体11の傾き状態を右スイッチ31で検出し、その結果、左右一対の前輪５が真直ぐ前方を向いた状態から電磁石６の作動により予め設定された設定回動角度をもって右方向に回動し、自動車玩具１が右に曲がる。リモコン本体11を水平姿勢に戻すと、左右一対の前輪５は真直ぐ前方を向いた状態に復帰する。
【００３６】
また、自動車玩具１の前進走行時において、遊戯者がリモコン本体11を左方向に傾け、このリモコン本体11が設定角度α以上の左傾き角度で左方向に傾いた左傾き状態になると、リモコン本体11内の傾き検出手段12がそのリモコン本体11の傾き状態を左スイッチ32で検出し、その結果、左右一対の前輪５が真直ぐ前方を向いた状態から電磁石６の作動により予め設定された設定回動角度をもって左方向に回動し、自動車玩具１が左に曲がる。リモコン本体11を水平姿勢に戻すと、左右一対の前輪５は真直ぐ前方を向いた状態に復帰する。
【００３７】
なお、自動車玩具１の停止状態時に、シフトダウンレバー板17を押動操作すると、リモコン２のスピーカ29から擬似バック音が発生するとともに、左右一対の後輪９がモータ８からの駆動力によって逆方向に回転することで自動車玩具１がバック走行する。
【００３８】
そして、このようなラジオコントロールカー玩具によれば、操作ボタン22〜25の操作で自動車玩具１を遠隔操作できるばかりでなく、左右のレバー板16，17の操作およびリモコン本体11自体を傾けることで自動車玩具１を遠隔操作できるため、実際の自動車のハンドルを握ってその自動車を運転している感覚を味わうことができ、よって興趣性がきわめて良好である。
【００３９】
なお、上記実施の形態では、自動車玩具１が前輪５を左右方向に回動させる駆動手段である電磁石６を有し、かつリモコン２がリモコン本体11の右傾き状態および左傾き状態を検出するスイッチ式の傾き検出手段12を有する構成について説明したが、例えば図７に示すように自動車玩具１が前輪５をリモコン本体11の傾きに対応させて左右方向に回動させる駆動手段であるモータ（前輪操舵用モータ）6aを有し、かつ図６に示すようにリモコン２がリモコン本体11の右傾き角度および左傾き角度を検出する可変抵抗式の傾き検出手段12aを有する構成でもよい。この図６（ａ）〜（ｅ）に示す傾き検出手段12aは、支軸（回動支点）33に取り付けられた可変抵抗51を有し、錘部材35の支軸33を中心とする回動をダイレクトに抵抗値に変換できるようになっている。なお、感度調整は可変抵抗51に直列に配線してある他の可変抵抗（図示せず）によるトリム調整によって行うようにする。
【００４０】
そして、この構成では、例えば自動車玩具１の前進走行時に、リモコン本体11が右方向に傾けられると、自動車玩具１の前輪５が傾き検出手段12aにて検出されるリモコン本体11の右傾き角度βに対応する回動角度をもって右方向に回動し、自動車玩具１がその回動角度に応じて右に曲がる。また、例えば自動車玩具１の前進走行時に、リモコン本体11が左方向に傾けられると、自動車玩具１の前輪５が傾き検出手段12aにて検出されるリモコン本体11の左傾き角度βに対応する回動角度をもって左方向に回動し、自動車玩具１がその回動角度に応じて左に曲がる。このため、リモコン本体11の傾き角度によって自動車玩具１の前輪５の向きを微妙に調節でき、興趣性がより一層良好となる。
【００４１】
なお、例えば自動車玩具１の走行時に振動する振動手段をリモコン本体11の把持部14内に設けるようにしてもよい。
【００４２】
また、例えば加速用操作ボタン22および右曲がり用操作ボタン24を右側の把持部14に設け、減速用操作ボタン23および左曲がり用操作ボタン25を左側の把持部14に設けた構成でもよい。さらに、５段ではなく、４段或いは６段以上にシフトアップすることができる構成としてもよい。
【００４３】
さらに、左右一対の把持部14が略円形環状のハンドル部の左右両側の部分からなるものであってもよい。
【図面の簡単な説明】
【００４４】
【図１】本発明の一実施の形態に係る玩具装置のリモコンの正面図である。
【図２】同上リモコンの背面図である。
【図３】同上リモコンの側面図である。
【図４】同上リモコンのスイッチ式の傾き検出手段および自動車玩具を示す図であり、（ａ）がリモコン本体を傾けていない状態の図で、（ｂ）がリモコン本体を右方向に傾けた状態の図で、（ｃ）がリモコン本体を左方向に傾けた状態の図である。
【図５】同上玩具装置の自動車玩具の概略斜視図である。
【図６】本発明の他の実施の形態に係る玩具装置のリモコンの可変抵抗式の傾き検出手段および自動車玩具を示す図であり、（ａ）がリモコン本体を傾けていない状態での図で、（ｂ）がリモコン本体を右方向に傾けた状態の図で、（ｃ）がリモコン本体を右方向にさらに傾けた状態の図で、（ｄ）がリモコン本体を左方向に傾けた状態の図で、（ｅ）がリモコン本体を左方向にさらに傾けた状態の図である。
【図７】同上玩具装置の自動車玩具の概略斜視図である。
【符号の説明】
【００４５】
１    自動車玩具
２    リモコン
５    車輪である前輪
11    リモコン本体
12，12a    傾き検出手段
14    把持部
16    操作レバーであるシフトアップレバー板
17    操作レバーであるシフトダウンレバー板
22    加速用操作ボタン
23    減速用操作ボタン
24    右曲がり用操作ボタン
25    左曲がり用操作ボタン
【図１】
2008023011.tif 000003
【図２】
2008023011.tif 000004
【図３】
2008023011.tif 000005
【図４】
2008023011.tif 000006
【図５】
2008023011.tif 000007
【図６】
2008023011.tif 000008
【図７】
2008023011.tif 000009